(57)【要約】【課題】球排出口の位置がパチンコ機のメーカーや機種によって異なっていても調整の必要なく、アウト球等の回収球を確実に受けられるようにするとともに、パチンコ機の前面枠の開閉状態を検知するための検知スイッチの取付を容易にする。【解決手段】パチンコ機２の背面側の取付ベース１上に回収球タンク４を設け、該回収球タンク上に球受皿２２を前後方向に移動可能に支持するとともに、該球受皿を前方向に付勢するバネ２９を設けることにより該球受皿をパチンコ機背面の球排出口３１の下部に延出させ、かつ該球受皿の移動状態を検出する検知スイッチ２５を設けてなる。【選択図】図３
2005348892.tif 000002
【特許請求の範囲】
【請求項１】
パチンコ機の背面側の取付ベース上に回収球タンクを設け、該回収球タンク上に球受皿を前後方向に移動可能に支持するとともに、該球受皿を前方向に付勢するバネを設けることにより該球受皿をパチンコ機背面の球排出口の下部に延出させ、かつ該球受皿の移動状態を検出する検知スイッチを設けてなることを特徴としたパチンコ球回収装置。
【請求項２】
パチンコ機の背面側の取付ベース上に回収球タンクを設け、該回収球タンク上に球受皿を前後方向に移動可能に支持するとともに、該球受皿を前方向に付勢するバネを設けることにより該球受皿をパチンコ機背面の球排出口の下部に延出させ、かつ該球受皿の前縁に検知スイッチを幅方向に取付位置調節可能に設けてなることを特徴としたパチンコ球回収装置。
【発明の詳細な説明】
【技術分野】
【０００１】
本発明は、パチンコ機の背面側の取付ベース上に設けられ、パチンコ機から排出されるアウト球等の回収球を受けるパチンコ球回収装置に関するものである。
【背景技術】
【０００２】
一般にパチンコ機はメーカーや機種によって背面の球排出口が異なる位置に設けられているので、パチンコ機を交換する際にはパチンコ球回収装置の位置もパチンコ機に合わせて調整する必要があった。
【０００３】
下記特許文献１に示されたアウト球タンクの取付装置は、上記調整を容易にするための発明であって、取付ベース上にアウト球タンクをパチンコ機の左右方向および前後方向に摺動可能に支持するとともに、左右方向ロック部材および前後方向ロック部材を設け、交換されたパチンコ機の球排出口の位置に合わせてアウト球タンクの設置位置が自由に調整できるようにするものである。
【特許文献１】特許第２７５９１４４号公報
【０００４】
また一般にパチンコ機は、点検作業等のために、機枠に対して前面枠が開閉可能に設けられており、従来からその閉め忘れを防ぐため、および防犯上、前面枠の開閉状態を検知する検知スイッチが設けられ、管理室等でその状態を常に監視できるようにしている。
【発明の開示】
【発明が解決しようとする課題】
【０００５】
ところで上記アウト球タンクの取付装置では、パチンコ機を交換したときに上記ロック部材を外して設置位置を再調整する必要があったが、その調整自体手間が掛かり、調整が適切に行われていないとパチンコ機から排出されるアウト球が詰まったりこぼれたりして不具合をまねくおそれがあった。また上記検知スイッチは、従来ではアウト球タンクの取付とは別途に取付られていたが、非常に狭くて煩雑な個所であるので適当な取付場所を得難いとともに、取付の手間，コストを要するものであった。
そこで本発明は、パチンコ機交換時でもアウト球タンク設置位置を再調整する必要がなく、パチンコ機から排出されるアウト球等の回収球を確実に受けることができるとともに、検知スイッチをも同時に簡単に取付られるパチンコ球回収装置を提供しようとするものである。
【課題を解決するための手段】
【０００６】
そのために請求項１に記載のパチンコ球回収装置は、パチンコ機の背面側の取付ベース上に回収球タンクを設け、該回収球タンク上に球受皿を前後方向に移動可能に支持するとともに、該球受皿を前方向に付勢するバネを設けることにより該球受皿をパチンコ機背面の球排出口の下部に延出させ、かつ該球受皿の移動状態を検出する検知スイッチを設けてなることを特徴とする。
【０００７】
また請求項２に記載のパチンコ球回収装置は、パチンコ機の背面側の取付ベース上に回収球タンクを設け、該回収球タンク上に球受皿を前後方向に移動可能に支持するとともに、該球受皿を前方向に付勢するバネを設けることにより該球受皿をパチンコ機背面の球排出口の下部に延出させ、かつ該球受皿の前縁に検知スイッチを幅方向に取付位置調節可能に設けてなることを特徴とする。
【発明の効果】
【０００８】
球排出口の位置がパチンコ機のメーカーや機種によって異なっていても調整の必要がなく、アウト球等の回収球を確実に受けられる。よって調整の手間が省けパチンコ機の交換作業が簡単になる。また、前面枠の開閉状態を検知する検知スイッチの取付が容易となる。
【実施例１】
【０００９】
図１は遊技場に設けられるパチンコ機設置島の横断面図で、１はパチンコ機２が設置される水平な取付ベース、３は該取付ベースの裏側に設けられた球回収樋である。図２〜図４にも示したように、４は該パチンコ機２の背面側の取付ベース上に可変取付台５を介して取り付けられた長方形箱状の回収球タンクである。該可変取付台５は、取付ベース１の上面に基レール部材６がビス７により固着され、該基レール部材上に台幅方向に移動調節可能に外筒８内と内筒９とからなる伸縮自在なる支柱１０が設けられ、該支柱上に回収球タンク４を支持している。このため、該回収球タンク４は該可変取付台５によって設定位置がパチンコ機幅方向および高さ方向に微調節可能なるように支持される。また、パチンコ機２は、機枠１１の一側縁に前面枠１２が開閉可能にヒンジされ、他側縁にその閉状態を保持するための周知の施錠装置が（図示せず）が設けられたものである。１３，１４は該前面枠１２の前面に設けられた上皿および下皿である。
【００１０】
上記回収球タンク４は、底壁１５と両側壁１６とからなり、該底壁１５は後方に向かい緩い傾斜状に形成され、その後側縁に球集合部１７が形成され、該球集合部の下に計数装置１８が設けられ、該計数装置の排出口にコイルバネからなるホース１９設け、該ホースを球回収樋３に垂下させている。
【００１１】
また、回収球タンク４の前側に底壁２０ａと両側壁２０ｂ，前壁２０ｃとからなる球受皿２２が前記底壁１５上をスライドし前後方向に摺動可能なるように設けられる。該底壁２０ａは前記底壁１５と同様に後方に向かい緩い傾斜状に形成される。なお、両側壁２０ｂの上縁に長手切欠２１ａが形成され、該長手切欠に前記両側壁１６の上縁内側に突設された係合爪２１ｂが係止することで該球受皿２２が脱落しないで前後方向に摺動できるようにしている。また、図４に示したように、この摺動をスムースにするために回収球タンク４の下面に一対のガイドローラ２３が回転自在に設けられ、球受皿２２の下面に該ローラと接するように垂下状に形成された板状のガイドレール２４が形成されている。
【００１２】
また、２５は回収球タンク４の下面に固着された検知スイッチ、２６は球受皿２２が摺動することにより該検知スイッチを作動させられるようにガイドレール２４の一部にビス２７により固着されたスイッチ作動板である。また、回収球タンク４の底壁１５下面に一体に形成された筒状部２８に圧縮状態のコイルバネ２９を収容し、球受皿２２の底壁２０ａより垂下されたリブ３０を該バネの一端に係合させることにより、該バネの弾性により該球受皿２２を前方向に付勢してなる。
【００１３】
このため、図３に矢印で示したように、バネ２９の弾性により球受皿２２が該パチンコ機背面の球排出口３１の下部に延出し、該球受皿２２の前壁２０ｃがパチンコ機２の前面枠１２背面に圧着することにより、該球排出口から排出されるアウト球等の回収球Ｐを該球受皿２２に受けることができる。そして該球受皿に受けられた回収球は回収球タンク４の球集合部１７から落下し、計数装置１８を通ってホース１９から球回収樋３に流落する。また、パチンコ機２が交換され球排出口３１の位置が前後方向に変化しても、バネ２９の弾性により球受皿２２はバネ２９の弾性により前方に移動することから常に球排出口３１の直下部まで延出し、回収球を確実に受けることができる。
【００１４】
また、前面枠１２が開けられた場合に、バネ２９の弾性により球受皿２２がさらに前方に移動し、スイッチ作動板２６が検知スイッチ２５の触子部分から離間することから、該検知スイッチ２５が作動しその作動信号によって前面枠１２が開状態にあることが検知される、このため、該検知スイッチ２５の作動状況を監視することにより、不正行為による前面枠１２の開放や、前面枠１２の閉め忘れ等を防止することができる。
【実施例２】
【００１５】
一方、図６，図７は、請求項２に記載の発明の実施例を示すもので、球受皿２２の前壁２０ｃの前縁前面に突条３２を形成し、検知スイッチ２５が設けられたスライダ３３を矢印で示したように該突条３２に沿って摺動自在なるように架設し、該スライダの前部には弾性折屈部３４を形成し該弾性折屈部の先端に鉤状部３５を形成し、該鉤状部が検知スイッチ２５および前面枠１２の背面に当接し得るようにしている。その他の構成は実施例１と同様である。この実施例２では、検知スイッチ２５の位置を球受皿２２の前縁前面に沿ってパチンコ機幅方向に取付位置調節可能であるので、前面枠１２背面の適宜部位に鉤状部３５を当接させ、前面枠１２の開閉状態が常に適切に検知されるように設定できる。
【００１６】
そしてこの実施例２に示したパチンコ球回収装置の場合も、球受皿２２をバネ２９の弾性により前方向に付勢することにより、球排出口３１の位置が個々のパチンコ機によって前後方向に多少異なっていても調整を要することなく、新たなパチンコ機を迅速簡単に取り付けることができ、交換作業に要する手間を軽減できる。
【００１７】
なお、球受皿を移動可能に支持する手段、および球受皿を前方向に付勢する手段についてはこれらの実施例に示したものの他、種々の構造を採用し得る。
【図面の簡単な説明】
【００１８】
【図１】本発明の実施例を示すパチンコ機設置島の横断面図。
【図２】本発明の実施例を示すパチンコ球回収装置の斜視図。
【図３】図２のＡ−Ａ線断面図。
【図４】図２のＢ−Ｂ線断面図。
【図５】図２のＣ−Ｃ線断面図。
【図６】本発明の他の実施例を示したパチンコ球回収装置の斜視図。
【図７】図６のＤ−Ｄ線断面図。
【符号の説明】
【００１９】
１      取付ベース
２      パチンコ機
３      球回収樋
４      回収球タンク
１１    機枠
１２    前面枠
２２    球受皿
２５    検知スイッチ
２９    バネ
３１    球排出口
３３    スライダ
【図１】
2005348892.tif 000003
【図２】
2005348892.tif 000004
【図３】
2005348892.tif 000005
【図４】
2005348892.tif 000006
【図５】
2005348892.tif 000007
【図６】
2005348892.tif 000008
【図７】
2005348892.tif 000009